(57)【要約】      （修正有）【課題】ノズルの側面に形成された注出口に対して高い密閉性能が発揮される、新規な開閉式噴出ヘッドを提供する。【解決手段】開閉式噴出ヘッド1は、ジョイント2と、ヘッド本体3と、ノズル4と、ノズルピン5と、ピン5の進退を本体3の押し下げ及び復帰に応じて生起させる機構6とを備え、ノズル4は、本体3に通じる通路P3aを有し本体3に連結されるノズル基部4aと、ノズル基部4aに通じる通路P3bを有しノズル基部4aに連結されるノズル先端部4bと、ノズル先端部通路P3b側に配置されノズル先端部4bの側面に形成した注出口Aを封止する栓体4cとを備え、栓体4cを変形及び復元の可能な弾性部位4dを介してノズル基部4aに連結すると共に、栓体4cに設けた係止爪4eでピン5に設けたヘッド5eに連結させることで、栓体4cの引き起こしに伴う開放とその復帰に伴う封止とをピン5の進退に応じて可能にした。【選択図】図１
2010149904.tif 000002
【特許請求の範囲】
【請求項１】
容器から突出するステムに通じる通路を有し当該ステムに連結されるジョイントと、このジョイントに通じる通路を有し当該ジョイントに対して上下動可能に連結され、その押し下げ及び復帰によりステムを通した内容物の給排を生起させるヘッド本体と、このヘッド本体に通じる通路を有し当該ヘッド本体から横向きに突出するノズルと、このノズルの通路内に進退可能に配置され当該ノズルの注出口の開閉を生起させるピン部材と、このピン部材の進退をヘッド本体の押し下げ及び復帰に応じて生起させる機構とを備える開閉式噴出ヘッドにおいて、
ノズルは、その通路側に配置され当該ノズルの側面に形成した注出口を封止する栓体を備え、
当該栓体を変形及び復元の可能な弾性部位を介してノズルに連結すると共に、当該栓体をピン部材に連結することで、当該栓体の引き起こしに伴う開放とその復帰に伴う封止とをピン部材の進退に応じて可能にしたものであることを特徴とする開閉式噴出ヘッド。
【請求項２】
請求項１において、ノズルは、ヘッド本体に通じる通路を有し当該ヘッド本体に連結されるノズル基部と、このノズル基部に通じる通路を有し当該ノズル基部に連結されるノズル先端部と、このノズル先端部の通路側に配置され当該ノズル先端部の側面に形成した注出口を封止する栓体とを備え、
当該栓体を変形及び復元の可能な弾性部位を介してノズル基部に連結すると共に、当該栓体に設けた係止爪でピン部材に設けたヘッドに連結させるものであることを特徴とする開閉式噴出ヘッド。
【発明の詳細な説明】
【技術分野】
【０００１】
本発明は、注出後における内容物の垂れや詰まりを生じにくい開閉式噴出ヘッドに関するものである。
【背景技術】
【０００２】
従来の開閉式噴出ヘッドには、液切れの悪さや内容物の固化を防止することを目的として、ポンプにジョイントを連結すると共に、このジョイントに対してヘッド本体を上下動可能に連結する一方、このヘッド本体の内側に横向きに配置したノズルの先端に注出口を形成し、ノズル内に配置されたピン部材がヘッド本体の押し下げ及び復帰に応じて進退することで、当該注出口を開閉させるものが存在する（例えば、特許文献１参照。）
【特許文献１】特開２００８−６４１０号公報
【発明の開示】
【発明が解決しようとする課題】
【０００３】
こうした開閉式噴出ヘッドは、その注出口をノズルの下側面に形成することで内容物を流下させる場合にも、当該注出口での密閉性能が求められる。
【０００４】
本発明の目的とするところは、ノズルの側面に形成された注出口に対して高い密閉性能が発揮される、新規な開閉式噴出ヘッドを提供することにある。
【課題を解決するための手段】
【０００５】
本発明は、容器から突出するステムに通じる通路を有し当該ステムに連結されるジョイントと、このジョイントに通じる通路を有し当該ジョイントに対して上下動可能に連結され、その押し下げ及び復帰によりステムを通した内容物の給排を生起させるヘッド本体と、このヘッド本体に通じる通路を有し当該ヘッド本体から横向きに突出するノズルと、このノズルの通路内に進退可能に配置され当該ノズルの注出口の開閉を生起させるピン部材と、このピン部材の進退をヘッド本体の押し下げ及び復帰に応じて生起させる機構とを備える開閉式噴出ヘッドにおいて、
ノズルは、その通路側に配置され当該ノズルの側面に形成した注出口を封止する栓体を備え、
当該栓体を変形及び復元の可能な弾性部位を介してノズルに連結すると共に、当該栓体をピン部材に連結させることで、当該栓体の引き起こしに伴う開放とその復帰に伴う封止とをピン部材の進退に応じて可能にしたものであることを特徴とするものである。
【０００６】
前記機構には、例えば、ジョイントとヘッド本体との間に配置され、ピン部材が注出口を閉じるように当該ピン部材を付勢する弾性部材と、ヘッド本体に対して揺動可能に起立するレバーを有し、
このレバーの一端を、ピン部材の後端に、当該ピン部材の進退動作を許容するように連結すると共に、
当該レバーの他端を、ヘッド本体の押し下げに伴いジョイントを押圧するように接触させ、当該ジョイントを押圧するときの反力によりレバーの後傾を生起させるものが挙げられる。
【０００７】
ノズルは、ヘッド本体に通じる通路を有し当該ヘッド本体に連結されるノズル基部と、このノズル基部に通じる通路を有し当該ノズル基部に連結されるノズル先端部と、このノズル先端部の通路側に配置され当該ノズル先端部の側面に形成した注出口を封止する栓体とを備え、
当該栓体を変形及び復元の可能な弾性部位を介してノズル基部に連結すると共に、当該栓体に設けた係止爪でピン部材に設けたヘッドに連結させるものであることが好ましい。
【発明の効果】
【０００８】
本発明では、ノズルの側面に形成された注出口を、当該ノズルの通路側に配置した栓体で封止するため、当該栓体を注出口の形状に合せることで、当該注出口に対する密閉性能を得ることができる。
【０００９】
また、栓体は、当該栓体をピン部材に連結させることで、当該栓体の引き起こしに伴う開放とその復帰に伴う封止とがピン部材の進退に応じて可能であることから、例えば、ヘッド本体の押し下げによってピン部材が後退することで内容物の注出が行われる場合には、ピン部材の後退によって注出口を開放し、ヘッド本体の復帰によってピン部材が前進することで内容物の吸入が行われる場合には、ピン部材の前進によって栓体が注出口を封止するようにすれば、従来と同様、注出後における液切れが良く、注出口からの垂れや詰まりを防止することができる。
【００１０】
従って、本発明によれば、ノズルの側面に形成された注出口に対して高い密閉性能が発揮される、新規な開閉式噴出ヘッドを提供することができる。
【００１１】
また、ノズルは、ヘッド本体に通じる通路を有し当該ヘッド本体に連結されるノズル基部と、このノズル基部に通じる通路を有し当該ノズル基部に連結されるノズル先端部と、このノズル先端部の通路側に配置され当該ノズル先端部の側面に形成した注出口を封止する栓体とを備え、
当該栓体を変形及び復元の可能な弾性部位を介してノズル基部に連結すると共に、当該栓体に設けた係止爪でピン部材に設けたヘッドに連結させるものであれば、ノズルの側面に形成された注出口に対する、高い密閉性能を簡素な構成で実現することができる。
【発明を実施するための最良の形態】
【００１２】
以下、図面を参照して本発明を詳細に説明する。
【００１３】
図１は、本発明の第一の形態である開閉式噴出ヘッド（以下、「ヘッド」）１の初期状態を側面から示す縦断面図であり、また、図２は、同ヘッド１の押し下げにより内容液が噴出されるときの状態を側面から示す要部縦断面図である。更に、図３は、図１のＸ−Ｘ断面図であり、また、図４(a)〜(c)はそれぞれ、ノズルとして組み込む前の栓体を示す要部縦断面図と、ノズルとして組み込んだ後の栓体を示す要部正面図及び平面図である。
【００１４】
図１にて、符号２は、ポンプの出力要素であるステムＳに連結されるジョイントである。ジョイント２は、通路Ｐ1を有しステムＳに形成された通路Ｐoを通してポンプに通じる。ポンプは、容器の内側に配置される既存のプランジャポンプであり、ステムＳの押し下げ及び復帰の繰り返しにより、容器の内容液を圧送する。
【００１５】
符号３は、ジョイント２に通じる通路Ｐ2を有しジョイント２の上筒部２ａに連結されるヘッド本体である。ヘッド本体３は、その押し下げ及び復帰によりポンプを駆動させる。
【００１６】
符号４は、ヘッド本体３に通じる通路Ｐ3を有しヘッド本体３から横向きに突出するノズルである。ノズル４は、ヘッド本体３に通じる通路Ｐ3aを有し当該ヘッド本体３に連結されるノズル基部４ａと、このノズル基部４ａに通じる通路Ｐ3bを有し当該ノズル基部４ａに連結されるノズル先端部４ｂと、後述する注出口Ａを封止するための栓体４ｃとを備える。
【００１７】
符号５は、ノズル４の通路Ｐ3内に配置されるノズルピン（ピン部材）である。ノズルピン５は、ノズル４の通路Ｐ3内に進退可能に配置されるノズルピン本体５ａと、このノズルピン本体５ａに固定されるノズルピン基部５ｂとからなる。ノズルピン本体５ａは、図３に示すように、十字断面をし、ノズル基部４ａの内側に４つに区画された通路Ｐ3aを形成する。
【００１８】
符号６は、ジョイント２とヘッド本体３との間に配置され、ノズルピン５の進退をヘッド本体３の押し下げ及び復帰に応じて生起させる梃子機構である。梃子機構６は、ヘッド本体３に固定される支持盤６ａと、この支持盤６ａに回転可能に支持されるレバー６ｂと、このレバー６ｂに付勢力を与えるためのリターンスプリングに代表される弾性部材６ｃとを有する。
【００１９】
レバー６ｂは、支持盤６ａに回転可能に保持される軸部６ｂ1を基点に延在する一端６ｂ2を有し、この一端６ｂ2には、ノズルピン５の後端５ｃを、自由度をもって嵌合させる切欠６ｄが形成されている。これにより、ノズルピン５の後端５ｃは、レバー６ｂの一端６ｂ2に対し、その進退動作が許容されるように連結される。
【００２０】
これに対し、レバー６ｂの他端６ｂ3は、軸部６ｂ1を基点に左右（図面では紙面表裏側）に二股に分かれ、それぞれがヘッド本体３に接触する。これにより、レバー６ｂの他端６ｂ3は、ヘッド本体３の押し下げに伴いジョイント２を押圧するため、当該ジョイント２を押圧するときの反力によりレバー６ｂの後傾を生起させる。
【００２１】
弾性部材６ｃは、ノズルピン基部５ｂに設けたシール部５ｄとヘッド本体３との間に圧縮状態で配置することで、ヘッド本体３とノズルピン５との間に介在し、図１に示すように、その弾性力（復元力）によってノズルピン５を前方（注出口Ａ方向）に付勢する。
【００２２】
これにより、レバー６ｂは、ヘッド本体３を押し下げないと、ノズルピン５が弾性部材６ｃの弾性力により前方に向かって付勢されることで、レバー６ｂが図１に示す矢印ｄ1の方向に回転するため、図１に示すように位置決めされるのに対し、ヘッド本体３を押し下げると、レバー６ｂがジョイント３を押圧するときの反力により弾性部材６ｃの弾性力に抗して同図に示す矢印ｄ2の方向に回転するため、ノズルピン５は図１に示す位置よりも後退する。
【００２３】
これに対し、本形態では、栓体４ｃを、ノズル先端部４ｂの通路Ｐ3b側に配置することで、ノズル先端部４ｂの側面に形成した注出口Ａを封止すると共に、変形及び復元の可能な弾性部位４ｄを介してノズル基部４ａに一体に連結する。栓体４ｃは、図４(a)に示すように、ノズル基部４ａにノズル先端部４ｂを組み付ける前は、弾性部位４ｄに対して直交するように連結されている。また、栓体４ｃは、図４(b)に示すように、注出口Ａに合されるように円形のドーム状をしている。これにより、ノズル先端部４ｂを組み付けて注出口Ａに位置決めしたときには、弾性部位４ｄの復元力（弾性力）によって注出口Ａを強固に封止する。
【００２４】
加えて、栓体４ｃには、図４(b),(c)に示すように、２つの係止爪４ｅが起立した状態で一体に形成されている。また、係止爪４ｅには、ノズルピン本体５ａに設けたヘッド５ｅを嵌合させることで、栓体４ｃがノズルピン４に自由度をもって抜け止め保持されている。このように、栓体４ｃをノズルピン５に連結することで、当該栓体４ｃは、ノズルピン５の後退によって弾性部位４ｄの復元力に抗する外力が働くと、図２に示すように、当該弾性部位４ｄを基点に引き起こされる一方、ノズルピン５の復帰（前進）によって当該引き起こしに要する外力が解除されると、図１に示すように、弾性部位４ｄの復元力により注出口Ａを封止する位置に復帰する。
【００２５】
即ち、本形態では、ヘッド本体３を押し下げることなく、ノズルピン５に弾性部材６ｃの弾性（復元）力が加わることでレバー６ｂが矢印ｄ1の方向に付勢されているときには、図１に示すように、栓体４ｃが弾性部位４ｄの復元力により注出口Ａを封止するのに対し、ヘッド本体３の押し下げによってレバー６ｂの他端６ｂ3に弾性部材６ｃの弾性（復元）力に抗した外力が加わることで当該レバー６ｂが矢印ｄ2の方向に付勢されるときには、図２に示すように、栓体４ｃがノズルピン５の後退に伴い引き起こされるため、当該栓体４ｃは注出口Ａを開放する。
【００２６】
上述したとおり、本形態では、ノズル４の側面に形成された注出口Ａを、当該ノズル４の通路Ｐ3側に配置した栓体４ｃで封止するため、当該栓体４ｃを注出口Ａの形状に合せることで、当該注出口Ａに対する密閉性能は、より高まる。
【００２７】
また、栓体４ｃは、当該栓体４ｃをノズルピン５に連結させることで、当該栓体４ｃの引き起こしに伴う開放とその復帰に伴う封止とがノズルピン５の進退に応じて可能であることから、本形態の如く、ヘッド本体３の押し下げによってノズルピン５が後退することで内容液の注出が行われる場合には、ノズルピン５の後退によって注出口Ａを開放し、ヘッド本体３の復帰によってノズルピン５が前進することでポンプへの内容液の吸入が行われる場合には、ノズルピン５の前進によって栓体４ｃが注出口Ａを封止するようにすれば、従来と同様、注出後における液切れが良く、注出口Ａからの垂れや詰まりを防止することができる。
【００２８】
従って、本発明によれば、ノズル４の側面に形成された注出口Ａに対して高い密閉性能が発揮される、新規な開閉式噴出ヘッドを提供することができる。
【００２９】
また、本形態の如く、ノズル４は、ヘッド本体３に通じる通路Ｐ3aを有し当該ヘッド本体３に連結されるノズル基部４ａと、このノズル基部４ａに通じる通路Ｐ3bを有し当該通路ノズル基部４ａに連結されるノズル先端部４ｂと、このノズル先端部４ｂの通路Ｐ3b側に配置され当該ノズル先端部４ｂの側面に形成した注出口Ａを封止する栓体４ｃとを備え、当該栓体４ｃを変形及び復元の可能な弾性部位４ｄを介してノズル基部４ａに連結すると共に、当該栓体４ｃに設けた係止リング４ｅをノズルピン５に設けたヘッド５ｅに連結させるものであれば、ノズル４の側面に形成された注出口Ａに対する、高い密閉性能を簡素な構成で実現することができる。
【００３０】
上述したところは、本発明の好適な形態を示したものであるが、用途に応じて様々に設計変更することができる。例えば、本発明である開閉式噴出ヘッドは、容器から突出するステムに連結されるものであればよいことから、本形態のような手動式ポンプを備えた容器に限らず、エアゾール容器にも適用することができる。加えて、各形態に採用された各構成はそれぞれ、互いに適宜組み合わせることができる。
【産業上の利用可能性】
【００３１】
本発明は、シャンプーやリンス、液体石鹸、化粧料等の内容物を入れる容器は勿論のこと、内容物を入れた様々な容器に適用させることができる。
【図面の簡単な説明】
【００３２】
【図１】本発明の第一の形態である開閉式噴出ヘッドの初期状態を側面から示す縦断面図である。
【図２】同ヘッドの押し下げにより内容液が噴出されるときの状態を側面から示す要部縦断面図である。
【図３】図１のＸ−Ｘ断面図である。
【図４】(a)〜(c)はそれぞれ、ノズルとして組み込む前の栓体を示す要部縦断面図と、ノズルとして組み込んだ後の栓体を示す要部正面図及び平面図である。
【符号の説明】
【００３３】
１    開閉式噴出ヘッド
２    ジョイント
３    ヘッド本体
４    ノズル
４ａ  ノズル基部
４ｂ  ノズル先端部
４ｃ  栓体
４ｄ  弾性部位
４ｅ  係止リング
５    ノズルピン
５ａ  ノズルピン基部
５ｂ  ノズルピン本体
５ｃ  ノズルピン後端
５ｄ  シール部
５ｅ  ヘッド
６    梃子機構
６ａ  支持盤
６ｂ  レバー
６ｂ1  軸部
６ｂ2  レバーの一端
６ｂ3  レバーの他端
６ｃ  弾性部材
Ａ    注出口
Ｐ0〜Ｐ3  通路
Ｓ    ポンプステム
【図１】
2010149904.tif 000003
【図２】
2010149904.tif 000004
【図３】
2010149904.tif 000005
【図４】
2010149904.tif 000006